(57)【要約】【課題】  ＩＨクッキングヒーターで揚げ物や炒め物等の調理を行う際において、左右どちらか一方のＩＨヒーターで調理を行う場合又は両方のＩＨヒーターで調理を行う場合の何れの場合においても、該ＩＨクッキングヒーターのトッププレートが飛び跳ねた油で汚れるのを防止することができると共に、トッププレートに表示されるモニターや操作スイッチが見えることにより調理が支障なく行え、更には包装容器への収納も簡単な、ＩＨクッキングヒーター用油汚れ防止紙を得る。【解決手段】  ＩＨクッキングヒーターのトッププレート全体を覆うことができる大きさと透過性及び耐油性を有した油汚れ防止紙において、ＩＨヒーター部を切り抜くためのミシン目を、使用するＩＨクッキングヒーターの大きさ又は機種に適合させるべく複数の異なる大きさ又は形状を有して各ＩＨヒーター部に設ける。【選択図】        図１
0003117021.tif 000002
【実用新案登録請求の範囲】
【請求項１】
ＩＨクッキングヒーターのトッププレート全体を覆うことができる大きさと透過性及び耐油性を有した油汚れ防止紙において、ＩＨヒーター部を切り抜くためのミシン目を、使用するＩＨクッキングヒーターの大きさ又は機種に適合させるべく複数の異なる大きさ又は形状を有して各ＩＨヒーター部に設けたことを特徴とする、ＩＨクッキングヒーター用油汚れ防止紙。
【考案の詳細な説明】
【技術分野】
【０００１】  本考案は、ＩＨクッキングヒーターで揚げ物や炒め物等の調理を行う際において、該ＩＨクッキングヒーターの上面（トッププレート）が飛び跳ねた油で汚れるのを防止するための、ＩＨクッキングヒーター用油汚れ防止紙に関するものである。
【背景技術】
【０００２】  近年、システムキッチンの電化に伴い、揚げ物や炒め物及び煮物等の調理を行う調理器具はガスコンロよりＩＨクッキングヒーターに変わりつつある。該ＩＨクッキングヒーターは、金属製（主に鉄製やステンレス製）の鍋底に磁力線を当て、該鍋底の金属板に発生したうず電流により当該鍋底を発熱させることにより調理を行うものであり、ガスコンロのような火が不要な調理器具である。【０００３】  このため、ＩＨクッキングヒーターのトッププレートには耐熱性のある平板状の結晶化ガラスが使用され、煮物等の調理の際に吹きこぼれた煮汁等は台布巾により簡単に拭き取ることができるものである。しかし、揚げ物や炒め物等の調理の際に飛び跳ねた油は台布巾によっても簡単且つ綺麗に拭き取ることができず、洗剤を含ませた台布巾やスポンジ等を用いて掃除をしなければならないといった問題点があった。【０００４】  上記問題点を解決すべく、特開２００２−１３４２５６号公報の『ＩＨクッキングヒーターカバー』においては、ＩＨクッキングヒーターのトッププレート全体を覆うことができる大きさを有したアルミシートの発熱体部分にあたる箇所を三角形状にくり抜くと共に、前記アルミシートをトッププレートに固定するための接着剤を当該アルミシートの裏面の縁部に塗布し、該塗布した部分を剥離紙で覆ったことを特徴としたクッキングヒーターカバーについて記載され、特開２００５−２１６８４４号公報の『ＩＨクッキングヒーター専用の油汚れを防止するペーパー』においては、ＩＨクッキングヒーターのトッププレート全体を覆うことができる大きさを有したパルプ又は不織布からなるペーパーの加熱部分にあたる箇所に穴を開けると共に、前記ペーパーをトッププレートに固定するための接着テープを当該ペーパーの四隅の両面に設け、更にロール状に巻き、ミシン目より切り離して使用することができることを特徴とした油汚れ防止ペーパーについて記載されている。【０００５】
【特許文献１】特開２００２−１３４２５６
【特許文献２】特開２００５−２１６８４４
【考案の開示】
【考案が解決しようとする課題】
【０００６】  しかしながら、上記特開２００２−１３４２５６号公報においては、ビルトインタイプの一般的配置形状である手前側に２個のＩＨヒーターと当該２個のＩＨヒーターの中間部奥側に１個のラジエントヒーターを配置した略三角形部を露出すべくアルミシートの中央部を三角形状に大きくくり抜くため、左右どちらか一方のＩＨヒーターで揚げ物や炒め物等の調理を行った場合、他方のＩＨヒータ−部はアルミシートが覆われていない状態となり、前記一方のＩＨヒーター部より飛び跳ねた油で汚れてしまうといった欠点があった。更にはトッププレートに表示されるモニターや操作スイッチが当該アルミシートにより遮断されて見えなくなってしまうといった欠点もあった。【０００７】  また、上記特開２００５−２１６８４４号公報においては、パルプ又は不織布からなるペーパーの加熱部分にあたる箇所に穴を始めから開けた状態で且つ当該ペーパーの四隅の両面に接着テープを設けた状態ではペーパーに凹凸が生じてロール状に巻くことが困難であり、該ペーパーの短辺方向の長さも少なくとも５０ｃｍ程度は必要なことから包装容器が大きくなってしまうといった欠点があった。また、前記公報と同様にトッププレートに表示されるモニターや操作スイッチが当該パルプ又は不織布からなるペーパーにより遮断されて見えなくなってしまうといった欠点もあった。【０００８】  本考案は、上記のような欠点を解決するために成されたものであり、ビルトインタイプの一般的配置形状である手前側に２個のＩＨヒーターを有したＩＨクッキングヒーターで揚げ物や炒め物等の調理を行う際において、左右どちらか一方のＩＨヒーターで調理を行う場合又は両方のＩＨヒーターで調理を行う場合の何れの場合においても、該ＩＨクッキングヒーターのトッププレートが飛び跳ねた油で汚れるのを防止することができると共に、トッププレートに表示されるモニターや操作スイッチが見えることにより調理が支障なく行え、更には包装容器への収納も簡単な、ＩＨクッキングヒーター用油汚れ防止紙を提供することを目的とする。
【課題を解決するための手段】
【０００９】  上記欠点を解決するため、本考案のＩＨクッキングヒーター用油汚れ防止紙においては、ＩＨクッキングヒーターのトッププレート全体を覆うことができる大きさと透過性及び耐油性を有した油汚れ防止紙において、ＩＨヒーター部を切り抜くためのミシン目を、使用するＩＨクッキングヒーターの大きさ又は機種に適合させるべく複数の異なる大きさ又は形状を有して各ＩＨヒーター部に設ける。
【考案の効果】
【００１０】  本考案のＩＨクッキングヒーター用油汚れ防止紙を、ビルトインタイプの一般的配置形状である手前側に２個のＩＨヒーターを有したＩＨクッキングヒーターのトッププレートに敷いて揚げ物や炒め物等の調理を行うようにすれば、左右どちらか一方のＩＨヒーターで調理を行う場合又は両方のＩＨヒーターで調理を行う場合の何れの場合においても、必要箇所のミシン目を切り抜くことにより必要箇所以外のトッププレートの露出がなくなるため、飛び跳ねた油でトッププレートが汚れるのを完全に防止することができるという効果を奏する。また、油汚れ防止紙が透過性及び耐油性を有しているため、トッププレートに表示されるモニターや操作スイッチが見えて調理が支障なく行えるという効果を奏する。更には一枚の油汚れ防止紙を八つ折程度に折り畳めば、包装容器への収納も簡単になるという効果を奏する。
【考案を実施するための最良の形態】
【００１１】  本考案を実施するための最良の形態を図を用いて説明する。【００１２】  図１は本考案のＩＨクッキングヒーター用油汚れ防止紙の構造図であり、ＩＨクッキングヒーターのトッププレート全体を覆うことができる大きさと透過性及び耐油性を有した油汚れ防止紙１において、ＩＨヒーター部を切り抜くためのミシン目２を、使用するＩＨクッキングヒーターの大きさ又は機種に適合させるべく複数の異なる大きさ又は形状を有して各ＩＨヒーター部に設ける。図１においては左右２箇所に各２個のミシン目２ａ，２ｂを設けている。この場合、外側のミシン目２ｂは内側のミシン目２ａと同心円状とせず、左右に長い楕円状にするのが好適である。【００１３】  油汚れ防止紙１の使用中にラジエントヒーターを使用すると当該油汚れ防止紙１が燃える危険性があるため、該油汚れ防止紙１のラジエントヒーター部にラジエントヒーター部標示３と前記危険性内容を記載した注意書き４を印刷すると好適である。【００１４】  上記透過性及び耐油性を有した油汚れ防止紙１として、パラフィン紙，ハトロン紙，ケント紙等が好適であるが、該透過性及び耐油性を有する紙であれば特に限定するものではない。【００１５】  また、図５は本考案のＩＨクッキングヒーター用油汚れ防止紙を包装容器へ収納するための折り畳み方法を示す図であり、ビルトインタイプのＩＨクッキングヒーターのトッププレート全体を覆うことができる油汚れ防止紙１の大きさとして、縦（短辺方向）が約５０ｃｍで横（長辺方向）を約７５ｃｍとした場合、折り曲げ線１０ａで二つ折りにし、折り曲げ線１０ｂで四つ折にし、折り曲げ線１０ｃで八つ折にした場合、縦（長辺方向）が約２５ｃｍで横（短辺方向）が約１９ｃｍの略Ｂ５版サイズとなり、包装容器への収納も簡単に行える。使用時には、前記八つ折にした油汚れ防止紙１を広げて折り曲げ線１０ａ，１０ｂ，１０ｃのしわを伸ばせば平らになるため、接着テープ等は不要である。
【実施例１】
【００１６】  図２は本考案のＩＨクッキングヒーター用油汚れ防止紙をＩＨクッキングヒーターのトッププレートに載置した第一実施例図であり、ＩＨクッキングヒーター５のトッププレートに当該ＩＨクッキングヒーター５に適合した大きさの油汚れ防止紙１を敷き、左右２箇所のＩＨヒーター部６，６を使用する例を示している。【００１７】  上記条件の場合、油汚れ防止紙１の左右のミシン目２ａを切り抜くことにより左右２箇所のＩＨヒーター部６，６がミシン目２ａ，２ａ内に露出することになるが、前記左右２箇所のＩＨヒーター部６，６の上に鍋を載せて調理を行った場合、飛び跳ねた油は油汚れ防止紙１により防止されトッププレートを汚すことがない。また、トッププレートに表示されるモニター８や操作スイッチ９が油汚れ防止紙１を透過して見えることにより調理が支障なく行える。
【実施例２】
【００１８】  図３は本考案のＩＨクッキングヒーター用油汚れ防止紙をＩＨクッキングヒーターのトッププレートに載置した第二実施例図であり、ＩＨクッキングヒーター５のトッププレートに当該ＩＨクッキングヒーター５に適合した大きさの油汚れ防止紙１を敷き、右側１箇所のＩＨヒーター部６を使用する例を示している。【００１９】  上記条件の場合、油汚れ防止紙１の右側のミシン目２ａを切り抜くことにより右側１箇所のＩＨヒーター部６がミシン目２ａ内に露出することになり、前記右側１箇所のＩＨヒーター部６の上に鍋を載せて調理を行った場合、左側のＩＨヒーター部６はミシン目２を切り抜いていないため飛び跳ねた油は油汚れ防止紙１により防止されトッププレートを汚すことがない。また、トッププレートに表示されるモニター８や操作スイッチ９が油汚れ防止紙１を透過して見えることにより調理が支障なく行える。
【実施例３】
【００２０】  図４は本考案のＩＨクッキングヒーター用油汚れ防止紙をＩＨクッキングヒーターのトッププレートに載置した第三実施例図であり、同一メーカーにおいて製品の大きさ又は機種の違いにより若しくはメーカーが異なることによりＩＨヒーター部６，６の間隔が上記２つの実施例より僅かに広くなったＩＨクッキングヒーター５のトッププレートに上記油汚れ防止紙１を敷き、左右２箇所のＩＨヒーター部６，６を使用する例を示している。【００２１】  上記条件の場合、油汚れ防止紙１の左右のミシン目２ｂを切り抜くことにより左右２箇所のＩＨヒーター部６，６がミシン目２ｂ，２ｂの外端側に露出し、内端側に僅か余分にトッププレートが露出することになるが、前記左右２箇所のＩＨヒーター部６，６の上に鍋を載せて調理を行った場合、飛び跳ねた油は油汚れ防止紙１により防止されトッププレートを汚すことがない。また、トッププレートに表示されるモニター８や操作スイッチ９が油汚れ防止紙１を透過して見えることにより調理が支障なく行える。【００２２】  なお、上記実施例１〜３においてラジエントヒーター部７は使用せず、油汚れ防止紙１の使用中はラジエントヒーター部７の使用を禁止する旨を注意書き４で標示する。
【図面の簡単な説明】
【００２３】
【図１】本考案のＩＨクッキングヒーター用油汚れ防止紙の構造図である。
【図２】本考案のＩＨクッキングヒーター用油汚れ防止紙をＩＨクッキングヒーターのトッププレートに載置した第一実施例図である。
【図３】本考案のＩＨクッキングヒーター用油汚れ防止紙をＩＨクッキングヒーターのトッププレートに載置した第二実施例図である。
【図４】本考案のＩＨクッキングヒーター用油汚れ防止紙をＩＨクッキングヒーターのトッププレートに載置した第三実施例図である。
【図５】本考案のＩＨクッキングヒーター用油汚れ防止紙を包装容器へ収納するための折り畳み方法を示す図である。
【符号の説明】
【００２４】    １  油汚れ防止紙
２  ミシン目
３  ラジエントヒーター部標示
４  注意書き
５  ＩＨクッキングヒーター
６  ＩＨヒーター部
７  ラジエントヒーター部
８  モニター
９  操作スイッチ
１０  折り曲げ線
【図１】
0003117021.tif 000003
【図２】
0003117021.tif 000004
【図３】
0003117021.tif 000005
【図４】
0003117021.tif 000006
【図５】
0003117021.tif 000007